【手続補正書】
【提出日】令和1年9月19日(2019.9.19)
【手続補正１】
【補正対象書類名】特許請求の範囲
【補正対象項目名】全文
【補正方法】変更
【補正の内容】
【特許請求の範囲】
【請求項１】
取得したユーザの地理的位置情報に基づいて、調査対象エリアでカバーされるターゲットユーザをサーバによって決定するステップと；
前記ターゲットユーザからの設定された距離範囲内で展開されている予め設定された機能を持つ目標物（ＰＯＩ）の数に従って、前記ターゲットユーザについての前記予め設定された機能を持つＰＯＩの展開の必要性指数を、前記ターゲットユーザの各々について決定するステップと；
前記予め設定された機能を持つＰＯＩの前記調査対象エリアでカバーされる前記ターゲットユーザの各々について展開の必要性指数に従って、前記調査対象エリアに対応する総展開の必要性指数を決定するステップとを備える；
目標物の展開の必要性を決定する方法；
【請求項２】
前記調査対象エリアは、
ターゲット地域範囲を同一サイズの複数のグリッドエリアに分割し、前記分割したグリッドエリアの各々を調査対象エリアとして取り扱うステップに従って決定される；
請求項１に記載の方法。
【請求項３】
前記ターゲット地域範囲内の各グリッドエリアに対応する総展開の必要性指数が決定された後に、更に、
前記決定済みの各グリッドエリアに対応した前記総展開の必要性指数を、設定されたサービスプロバイダのＰＯＩサーバに示すことにより、前記設定されたサービスプロバイダが、前記各グリッドエリアに対応する前記総展開の必要性指数に基づいて、前記予め設定された機能を持つＰＯＩを前記ターゲット地域範囲内に展開するためのアドレスを決定できるようにするステップを備える；
請求項２に記載の方法。
【請求項４】
前記ターゲットユーザについての前記予め設定された機能を持つＰＯＩの展開の必要性指数を決定する前記ステップは：
前記ターゲットユーザからの前記設定された距離範囲内で展開される前記予め設定された機能を持つ前記ＰＯＩの数Ｎに従って、前記ターゲットユーザについての前記予め設定された機能を持つ前記ＰＯＩの前記展開の必要性指数がｋ１／（Ｎ＋ｋ２）であることを決定するステップを備え、Ｎは正整数であり、ｋ１とｋ２は正の実数である；
請求項１に記載の方法。
【請求項５】
前記予め設定された機能を持つＰＯＩの前記調査対象エリアでカバーされる前記ターゲットユーザの各々についての前記展開の必要性指数に従って、前記調査対象エリアに対応する総展開の必要性指数を決定する前記ステップは：
前記予め設定された機能を持つＰＯＩの前記調査対象エリアでカバーされる前記ターゲットユーザの展開の必要性指数の和を、前記調査対象エリアに対応する総展開の必要性指数として決定するステップを備える；
請求項１に記載の方法。
【請求項６】
調査対象エリアでカバーされるターゲットユーザを決定する前記ステップは：
前記調査対象エリアでカバーされる前記ユーザの中から非ターゲットユーザを除外し、残っているユーザを前記ターゲットユーザとして取り扱うステップを備え、
前記非ターゲットユーザの各々は、以下の条件：
・前記予め設定された機能を使用する必要がない；
・前記設定されたサービスプロバイダの前記予め設定された機能を持つＰＯＩが、前記非ターゲットユーザからの前記設定された距離範囲内に既に展開されている；
・共通のサービスプロバイダの前記予め設定された機能を持つＰＯＩが、前記非ターゲットユーザからの前記設定された距離範囲内に既に展開されており、ここで、前記共通のサービスプロバイダは、前記予め設定された機能を持つ前記ＰＯＩの他のサービスプロバイダと比べて最も頻繁に前記ユーザと対話している；
のうちの１つ以上を満たす；
請求項１乃至５のいずれか１項に記載の方法。
【請求項７】
調査対象エリアによってカバーされるターゲットユーザは、調査対象エリア内のアドレスに頻繁に現れるターゲットユーザを含む；
請求項１乃至６のいずれか１項に記載の方法。
【請求項８】
前記取得したユーザの地理的位置情報は、マルチプルユーザのネットワーク対話データから抽出されたアドレス情報を含む；
請求項１乃至７のいずれか１項に記載の方法。
【請求項９】
ネットワーク対話データから抽出されたアドレス情報は、ユーザがモバイルデバイス又はデリバリアドレス情報を用いてインターネットナビゲーション及びインターネットサーフィンを行う時に抽出したアドレス情報を含む；
請求項８に記載の方法。
【請求項１０】
前記ターゲットユーザからの設定された距離範囲内で予め設定された展開機能を持つＰＯＩの数に従って各ターゲットユーザについて、予め設定された機能を持つＰＯＩに対する前記ターゲットユーザの展開の必要性指数を決定するステップは、前記アドレス情報により特化された設定された距離範囲内で展開された予め設定された機能を持つＰＯＩの数に従って前記ターゲットユーザの展開の必要性指数を決定するステップを含む；
請求項８に記載の方法。
【請求項１１】
更に、各グリッドエリアに対応する前記総展開の必要性指数に従ってターゲット地理的エリアを含むマップをレンダリングするステップを含み、より小さい総展開の必要性指数を持つグリッドエリアは、より大きい総展開の必要性指数を持つグリッドエリアより薄い色で、より透明に表示される；)
請求項２又は３に記載の方法。
【請求項１２】
ＰＯＩに対する展開の必要性指数を決定するための装置であって、
請求項１乃至１１のいずれか１項に記載の方法を遂行するように構成されたマルチプルモジュールを含む装置。
【手続補正２】
【補正対象書類名】明細書
【補正対象項目名】００１６
【補正方法】変更
【補正の内容】
【００１６】
本願の実施の形態において、サーバは、取得したユーザの地理的位置情報に基づいて、調査対象エリアでカバーされるターゲットユーザを判定でき、ターゲットユーザからの設定された距離範囲内に展開されている予め設定された機能を持つＰＯＩの数に従って、ターゲットユーザについての予め設定された機能を持つＰＯＩの展開の必要性指数をターゲットユーザ毎に判定でき、予め設定された機能を持つＰＯＩの調査対象エリアでカバーされた各ターゲットユーザの展開の必要性指数に従って、調査対象エリアに対応する総展開の必要性指数を判定できる。このように、本願の実施の形態では、ユーザについてのＰＯＩの展開の必要性を客観的及び自動的に判定でき、ＰＯＩアドレス選択の効率及び精度が向上する。
【手続補正３】
【補正対象書類名】明細書
【補正対象項目名】００５６
【補正方法】変更
【補正の内容】
【００５６】
本願の範囲又は主旨から逸脱せずに本願に様々な改変及び変形を加えられることが、当業者には明らかであろう。先述を鑑み、本願は、以下の特許請求の範囲とその均等物の範囲内にある限り本願の変更および変形を網羅する。
［第１の局面］
取得したユーザの地理的位置情報に基づいて、調査対象エリアでカバーされるターゲットユーザをサーバによって判定するステップと；
前記ターゲットユーザからの設定された距離範囲内で展開されている予め設定された機能を持つ目標物（ＰＯＩ）の数に従って、前記ターゲットユーザについての前記予め設定された機能を持つＰＯＩの展開の必要性指数を、前記ターゲットユーザの各々について判定するステップと；
前記予め設定された機能を持つＰＯＩの前記調査対象エリアでカバーされる前記ターゲットユーザの各々について展開の必要性指数に従って、前記調査対象エリアに対応する総展開の必要性指数を判定するステップとを備える；
目標物の展開の必要性を判定する方法。
［第２の局面］
前記調査対象エリアは、
ターゲット地域範囲を同一サイズの複数のグリッドエリアに分割し、前記分割したグリッドエリアの各々を調査対象エリアとして取り扱うステップに従って判定される；
第１の局面に記載の方法。
［第３の局面］
前記ターゲット地域範囲内の前記各グリッドエリアに対応する総展開の必要性指数が判定された後に、更に、
前記判定済みの各グリッドエリアに対応した前記総展開の必要性指数を、設定されたサービスプロバイダのＰＯＩサーバに示すことにより、前記設定されたサービスプロバイダが、前記各グリッドエリアに対応する前記総展開の必要性指数に基づいて、前記予め設定された機能を持つＰＯＩを前記ターゲット地域範囲内に展開するためのアドレスを判定できるようにするステップを備える；
第２の局面に記載の方法。
［第４の局面］
前記ターゲットユーザについての前記予め設定された機能を持つＰＯＩの展開の必要性指数を判定する前記ステップは：
前記ターゲットユーザからの前記設定された距離範囲内で展開される前記予め設定された機能を持つ前記ＰＯＩの数Ｎに従って、前記ターゲットユーザについての前記予め設定された機能を持つ前記ＰＯＩの前記展開の必要性指数がｋ１／（Ｎ＋ｋ２）であることを判定するステップを備え、Ｎは正整数であり、ｋ１とｋ２は正の実数である；
第１の局面に記載の方法。
［第５の局面］
前記予め設定された機能を持つＰＯＩの前記調査対象エリアでカバーされる前記ターゲットユーザの各々についての前記展開の必要性指数に従って、前記調査対象エリアに対応する総展開の必要性指数を判定する前記ステップは：
前記予め設定された機能を持つＰＯＩの前記調査対象エリアでカバーされる前記ターゲットユーザの展開の必要性指数の和を、前記調査対象エリアに対応する総展開の必要性指数として判定するステップを備える；
第１の局面に記載の方法。
［第６の局面］
調査対象エリアでカバーされるターゲットユーザを判定する前記ステップは：
前記調査対象エリアでカバーされる前記ユーザの中から非ターゲットユーザを除外し、残っているユーザを前記ターゲットユーザとして取り扱うステップを備え、
前記非ターゲットユーザの各々は、以下の条件：
・前記予め設定された機能を使用する必要がない；
・前記設定されたサービスプロバイダの前記予め設定された機能を持つＰＯＩが、前記非ターゲットユーザからの前記設定された距離範囲内に既に展開されている；
・共通のサービスプロバイダの前記予め設定された機能を持つＰＯＩが、前記非ターゲットユーザからの前記設定された距離範囲内に既に展開されており、ここで、前記共通のサービスプロバイダは、前記予め設定された機能を持つ前記ＰＯＩの他のサービスプロバイダと比べて最も頻繁に前記ユーザと対話している；
のうちの１つ以上を満たす；
第１乃至第５のいずれかの局面に記載の方法。
［第７の局面］
取得したユーザの地理的位置情報に基づいて、調査対象エリアでカバーされるターゲットユーザを判定するように構成されるターゲットユーザ判定モジュールと；
前記ターゲットユーザからの設定された距離範囲内に展開されている予め設定された機能を持つ目標物（ＰＯＩ）の数に従って、前記ターゲットユーザについての前記予め設定された機能を持つＰＯＩの展開の必要性指数を、前記ターゲットユーザ毎について判定するように構成される第１の展開の必要性指数判定モジュールと；
前記予め設定された機能を持つＰＯＩの前記調査対象エリアでカバーされる前記各ターゲットユーザの前記展開の必要性指数に従って、前記調査対象エリアに対応する総展開の必要性指数を判定するように構成される第２の展開の必要性指数判定モジュールと；
を備える；
目標物の展開の必要性を判定する装置。
［第８の局面］
更に、前記ターゲットユーザ判定モジュールが前記調査対象エリアでカバーされる前記ターゲットユーザを判定する前に、ターゲット地域範囲を同一サイズの複数のグリッドエリアに分割し、前記分割したグリッドエリアの各々を調査対象エリアとして取り扱うように構成される分割モジュールを備える；
第７の局面に記載の装置。
［第９の局面］
更に、前記第２の展開の必要性指数判定モジュールが前記ターゲット地域範囲内の各グリッドエリアに対応する総展開の必要性指数を判定した後に、各グリッドエリアに対応する前記判定された総展開の必要性指数を設定されたサービスプロバイダのＰＯＩサーバに示すことにより、前記設定されたサービスプロバイダが、各グリッドエリアに対応する前記総展開の必要性指数に基づいて、前記予め設定された機能を持つＰＯＩを前記ターゲット地域範囲内で展開するためのアドレスを判定できるように構成される送信モジュールを備える；
第８の局面に記載の装置。
［第１０の局面］
前記第１の展開の必要性指数判定モジュールは、具体的に：
前記ターゲットユーザからの前記設定された距離範囲内に展開された前記予め設定された機能を持つ前記ＰＯＩの数Ｎに従って、前記ターゲットユーザについての前記予め設定された機能を持つＰＯＩの前記展開の必要性指数がｋ１／（Ｎ＋ｋ２）であると判定するように構成でき、ここで、Ｎは正整数であり、ｋ１とｋ２は正の実数である；
第７の局面に記載の装置。
［第１１の局面］
前記第２の展開の必要性指数判定モジュールは、具体的に：
前記予め設定された機能を持つＰＯＩの前記調査対象エリアでカバーされる前記ターゲットユーザについての前記展開の必要性指数の和を、前記調査対象エリアに対応する前記総展開の必要性指数として判定するように構成される；
第７の局面に記載の装置。
［第１２の局面］
前記ターゲットユーザ判定モジュールは、具体的に：
前記調査対象エリアでカバーされた前記ユーザの中から非ターゲットユーザを除外し、残っているユーザを前記ターゲットユーザとして取り扱うように構成でき、
ここで、前記非ターゲットユーザの各々は以下の条件：
前記予め設定された機能を使用する必要がない；
前記設定されたサービスプロバイダの前記予め設定された機能を持つＰＯＩが、前記非ターゲットユーザからの前記設定された距離範囲内に既に展開されている；
共通のサービスプロバイダの前記予め設定された機能を持つＰＯＩが、前記非ターゲットユーザからの前記設定された距離範囲内に既に展開されており、ここで、前記共通のサービスプロバイダは、前記予め設定された機能を持つ前記ＰＯＩの他のサービスプロバイダと比べて最も頻繁に前記ユーザと対話している；
の１つ以上を満たす；
第７乃至第１１のいずれかの局面に記載の装置。